(57)【要約】【課題】サンプリング数が少ない場合でも精度よく発電量の評価が可能な発電性能評価システム、および発電性能評価方法を提供する。【解決手段】複数の太陽電池が直列接続された太陽電池ストリングを並列接続した太陽電池アレイの短絡電流と前記太陽電池アレイを制御する制御装置にて計測される動作電流とに基づいて計算される想定日射量と、日射計で計測された日射量との相関関係から得られたサンプルデータに基づいて、想定日射量と日射量との間の回帰直線を求める算出部と、サンプルデータが、回帰直線に基づいて設定された所定の上限値と下限値との幅にあるか否かを判定し、その幅にあるサンプルデータを、太陽電池アレイの発電性能の評価対象データとする判定部と、を備える。【選択図】図６
2019054699.tif 000002
【特許請求の範囲】
【請求項１】
複数の太陽電池が直列接続された太陽電池ストリングを並列接続した太陽電池アレイの短絡電流と前記太陽電池アレイを制御する制御装置にて計測される動作電流とに基づいて計算される想定日射量と、日射計で計測された日射量との相関関係から得られたサンプルデータに基づいて、前記想定日射量と前記日射量との間の回帰直線を求める算出部と、
前記サンプルデータが、前記回帰直線に基づいて設定された所定の上限値と下限値との幅にあるか否かを判定し、前記幅にあるサンプルデータを、前記太陽電池アレイの発電性能の評価対象データとする判定部と、
を備えることを特徴とする発電性能評価システム。
【請求項２】
前記判定部は、前記制御装置から得られる前記動作電流の精度を評価対象となった前記サンプルデータの数の平方根を割った値に基づいて、前記太陽電池アレイの発電性能の評価の誤差を算出する、
ことを特徴とする請求項１に記載の発電性能評価システム。
【請求項３】
複数の太陽電池が直列接続された太陽電池ストリングを並列接続した太陽電池アレイの短絡電流と前記太陽電池アレイを制御する制御装置にて計測される動作電流とに基づいて計算される想定日射量と、日射計で計測された日射量との相関関係から得られたサンプルデータに基づいて、前記想定日射量と前記日射量との間の回帰直線を求め、
前記サンプルデータが、前記回帰直線に基づいて設定された所定の上限値と下限値との幅にあるか否かを判定し、前記幅にあるサンプルデータを、前記太陽電池アレイの発電性能の評価対象データとする、
ことを特徴とする発電性能評価方法。
【請求項４】
前記判定において、前記制御装置から得られる前記動作電流の精度を評価対象となった前記サンプルデータの数の平方根を割った値に基づいて、前記太陽電池アレイの発電性能の評価の誤差を算出する、
ことを特徴とする請求項３に記載の発電性能評価方法。
【発明の詳細な説明】
【技術分野】
【０００１】
本発明は、発電性能評価システム、および発電性能評価方法に関する。
【背景技術】
【０００２】
近年、全量買取り制の施行により、太陽光発電、とりわけ、太陽電池モジュールが数万枚で構成される大規模な太陽光発電所（メガソーラー）が飛躍的に増加している。また、メガソーラーの運用開始後、数年の実績があり、安定した発電収入を見込める発電所を売買したり、証券化したりというセカンダリ市場が活性化している。通常、メガソーラーを構築する場合、発電性能を評価するための監視装置が設けられる。新規に発電所を建設できる場合には、監視装置を新規に組むことができるため、取り扱うデータの送信間隔などを柔軟に設定することができる。しかし、既存の発電所に監視装置を後付けする場合、保管できるデータ容量が既存のシステムの制約を受けるため、例えば、１分間隔のデータや１０分間隔データ等、比較的長い間隔でデータが保管される場合が一般的である。
【０００３】
発電性能を評価する技術として、例えば、特許文献１には、晴天時とみなせる状態での太陽電池の電気的出力値を蓄積し、太陽電池の電気的出力値を、ほぼ同じ条件で比較することで、太陽光発電所の発電性能を評価する方法が記載されている。また、例えば、特許文献２には、数秒ごとの日射量、もしくは電流の変化が、所定の変化量よりも少なければ晴天と判断する方法が記載されている。
【先行技術文献】
【特許文献】
【０００４】
【特許文献１】特開２０１６−５４６３２号公報
【特許文献２】特開２０１６−２０８６８３号公報
【発明の概要】
【発明が解決しようとする課題】
【０００５】
上述のように、比較的長い間隔でデータが保管される場合、上記特許文献１や特許文献２のような手法では、データの間隔が長くなることにより、発電性能を評価するためのサンプリング数が不足する。したがって、例えば、晴天時における発電量の推移と、天候が変動している時における発電量の推移を見た場合、両者の推移が類似してしまい、晴天時における発電量であるのか、それ以外の天候時における発電量であるのかが判断できない場合があった。このため、サンプリング数が少ない場合でも精度よく発電量を評価することができる技術が求められていた。
【０００６】
本発明は、サンプリング数が少ない場合でも精度よく発電量の評価が可能な発電性能評価システム、および発電性能評価方法を提供することを目的とする。
【課題を解決するための手段】
【０００７】
上記課題を解決するために、本発明にかかる発電性能評価システムは、複数の太陽電池が直列接続された太陽電池ストリングを並列接続した太陽電池アレイの短絡電流と前記太陽電池アレイを制御する制御装置にて計測される動作電流とに基づいて計算される想定日射量と、日射計で計測された日射量との相関関係から得られたサンプルデータに基づいて、前記想定日射量と前記日射量との間の回帰直線を求める算出部と、前記サンプルデータが、前記回帰直線に基づいて設定された所定の上限値と下限値との幅にあるか否かを判定し、前記幅にあるサンプルデータを、前記太陽電池アレイの発電性能の評価対象データとする判定部と、を備えることを特徴とする発電性能評価システム。
【０００８】
また、本発明は、上記発電性能評価システムで行われる発電性能評価方法としても把握される。
【発明の効果】
【０００９】
本発明によれば、サンプリング数が少ない場合でも精度よく発電量の評価が可能となる。
【図面の簡単な説明】
【００１０】
【図１】本実施例における発電性能評価システムの構成例を示す図である。
【図２Ａ】天候が安定している場合の日射量の時間的な推移（ａ）と日射量の変化の推移（ｂ）を示すグラフである。
【図２Ｂ】天候が安定していない場合の日射量の時間的な推移（ａ）と日射量の変化の推移（ｂ）を示すグラフである。
【図３Ａ】図２Ａに示した各グラフからサンプルとなるデータを取得する場合の説明図である。
【図３Ｂ】図２Ｂに示した各グラフからサンプルとなるデータを取得する場合の説明図である。
【図４】図１に示した太陽電池アレイの電流−電圧特性の変化の一例を示す説明図である。
【図５】太陽電池から得られた日射量の時間的な推移と、日射計から得られた日射量の時間的な推移とを比較したグラフである。
【図６】本システムで行われる発電性能評価のためのサンプルデータの抽出処理の処理手順を示すフローチャートである。
【図７】晴天等の安定した天候における日射量の時間的な推移（ａ）と日射計の計測値と想定日射量との回帰直線（ｂ）を示すグラフである。
【図８】晴天と曇天が繰り返す不安定な天候における日射量の時間的な推移（ａ）と日射計の計測値と想定日射量との回帰直線（ｂ）を示すグラフである。
【発明を実施するための形態】
【００１１】
以下に添付図面を参照して、本発明にかかる発電性能評価システム、および発電性能評価方法の実施の形態を詳細に説明する。
【００１２】
図１は、本実施例における発電性能評価システム１０００の構成例を示す図である。図１に示すように、発電性能評価システム１０００は、複数の太陽電池アレイを有するアレイシステム１と、アレイシステムごとに設けられたキュービクル２と、外部通信装置群３と、監視システム４と、入出力装置群５とを有して構成されている。
【００１３】
図１に示すように、アレイシステム１は、１または複数の太陽電池アレイＡと接続箱１２とを有している。太陽電池アレイＡは、太陽電池ストリング１１を接続箱１２において並列接続することによって構成される。接続箱１２には、各太陽電池ストリング１１に逆方向の電流が流れ込むのを防止するための逆流防止ダイオード１２１が取り付けられている。スイッチ１２２を選択することによって、各太陽電池ストリング１１の電流経路を選択することも可能である。接続箱１２は、１または複数、太陽電池アレイＡごとに並列接続される。また、接続箱１２を介して並列接続された複数の太陽電池アレイＡの正極と負極は、キュービクル２に接続される。太陽電池ストリング１１は、直列に並べられた複数の太陽電池モジュール１１１から構成される。
【００１４】
キュービクル２は、パワーコンディショナ（制御装置）を有した高圧受電設備であり、日射計２１と、信号変換伝送装置２２と、サンプリング処理部２３と、制御波形生成部２４と、直流・交流変換部２５と、電流計２６と、電圧計２７と、制御部２８とを有して構成されている。
【００１５】
複数の太陽電池アレイＡから最大電力を取り出せるよう制御することをＭＰＰＴ制御（Maxiｍuｍ Power Point Tracking）と呼ぶ。このＭＰＰＴ制御は、キュービクル２内部の電流計２６と電圧計２７によって計測された直流電力を用い、制御部２８がＤＣ／ＤＣコンバータ回路を有する直流・交流変換部２５の動作を制御することによって達成されるものである。直流昇圧コンバータであるＤＣ／ＤＣコンバータ回路を有した直流・交流変換部２５は、太陽電池アレイＡからの直流電圧を昇圧して、直流・交流変換部２５が有するＤＣ／ＡＣインバータ部に供給し、交流電圧を外部に供給する。
【００１６】
一般に、大規模太陽光発電システムにおいて、ＭＰＰＴ制御中に計測される直流電圧及び直流電流は、サンプリング処理部２３でサンプリング（標本化）処理された後、制御波形生成部２４および信号変換伝送装置２２に出力され、外部通信装置群３を介して、監視システム４に送信される。日射計２１によって計測された日射強度、即ち、単位面積当たりの日射量（ｋＷ／ｍ２）は、図示しないトランスデューサにおいて気象信号として統一され、信号変換伝送装置２２を介して監視システム４に送信される。制御波形生成部２４に送信された信号は、ＭＰＰＴ制御の指令信号の生成に使用される。制御部２８では、各太陽電池ストリング１１から最大電力を取り出せるように電流及び電圧を制御する。
【００１７】
外部通信装置群３は、ＨＵＢ３１と、ＰＬＣ（Power Line Coｍｍunication）３２と、ＯＤリング３３と、伝送装置３４とを含む。ＯＤリング３２は、ＨＵＢ３１を介して、キュービクル２のそれぞれを接続している。これらの各装置は従来から知られている構成であるため、ここでは具体的な説明を省略する。
【００１８】
監視システム４は、例えば、ハードウェアとしては一般的な、１または複数のコンピュータやクラウドによって構成される。これらのコンピュータには、メモリやＨＤＤ（Hard Disk Drive）等の記憶装置、システムの各部を制御し、演算処理を実行するＣＰＵ（Central Processing Unit）といった、コンピュータとしては一般的なハードウェアにより構成されている。本システムにおける処理は、実際には、ＣＰＵがメモリからプログラムを読み出して実行することにより実現される。上記プログラムは、ＲＯＭ等に予め組み込まれて提供されたり、インストール可能な形式又は実行可能な形式のファイルでＣＤ−ＲＯＭ、ＣＤ−Ｒ、ＤＶＤ（Digital Versatile Disk）等のコンピュータで読み取り可能な記録媒体に記録して提供したり、配布してもよい。さらには、上記プログラムを、インターネット等のネットワークに接続されたコンピュータ上に格納し、ネットワーク経由でダウンロードさせることにより提供したり、配布してもよい。
【００１９】
図１に示すように、監視システム４は、例えば、データサーバ４１と、アプリケーションサーバ４２と、Ｗｅｂサーバ４３と、中継機器４４と、物理スイッチ４５と、ファイアウォール４６とを含む。
【００２０】
データサーバ４１は、メモリやＨＤＤ等の記憶装置に各キュービクル２から送信されたデータを蓄積するサーバである。アプリケーションサーバ４２は、データサーバ４１に蓄積されたデータを用いて、本システム（算出部、判定部）における各種処理を実行するサーバである。Ｗｅｂサーバ４３は、入出力装置群５から本システムにおける各種処理を実行するための指示や情報を受信し、アプリケーションサーバ４２に記憶されているアプリケーションを実行し、その結果を入出力装置群５に送信するサーバである。
【００２１】
中継機器４４は、ルータやハブ、ブリッジ等、監視システム４を構成する各種機器同士の通信を中継する機器である。物理スイッチ４５は、監視システム４を構成する各種機器に対するデータの通信を振り分ける機器である。ファイアウォール４６は、監視システム４と入出力装置群５との間における通信を制御する。
【００２２】
入出力装置群５は、ＰＣ装置５１と、携帯装置５２とを含む。ＰＣ装置５１は、ハードウェアとしては一般的なＰＣ（Personal Coｍputer）であり、ユーザから本システムの実行や設定に必要な情報の入力を受け付けるキーボード等の入力装置、本システムにより実行された処理結果を出力するディスプレイ等の出力装置を有するコンピュータである。携帯装置５２は、ハードウェアとしては一般的な携帯端末（例えば、スマートフォンやタブレット端末）であり、上記ＰＣ装置５１と同様の機能を有した入力装置や出力装置を有するコンピュータである。なお、ネットワークＮ１、Ｎ２は、例えば、インターネット等の一般的な公衆回線網である。本システムを構成する上記各部が実行する具体的な処理については後述する。
【００２３】
図２Ａは、天候が安定している場合の日射量の時間的な推移（ａ）と日射量の変化の推移（ｂ）を示すグラフである。また、図２Ｂは、天候が安定していない場合の日射量の時間的な推移（ａ）と日射量の変化の推移（ｂ）を示すグラフである。
【００２４】
図２Ａの（ａ）に示すように、例えば、晴天時などの天候が安定している場合、ある１日の日射量は、天候と一定の相関関係を保ちながらグラフ２１のように推移する。このときの日射量の変化を示す日射変化量２２は、図２Ａの（ｂ）に示すように、ある一定の幅Ｄの間で推移することがわかる。これは、安定して日射量が得られているため、ある時点で計測された日射量と、その直前（あるいは直後）に計測された日射量との差が上記幅Ｄ以内となっていることを示している。図２Ａの（ｂ）では、１日のうちのほぼすべての時間帯で１秒毎の日射変化量２２が上記幅Ｄである±０．０１の間に収まっていることがわかる。
【００２５】
一方、図２Ｂの（ａ）に示すように、例えば、晴天と曇天が繰り返す時などの天候が不安定な場合、ある１日の日射量は、天候とは一定の相関関係がなくグラフ２３のように推移する。このときの日射量の変化を示す日射変化量２４は、図２Ｂの（ｂ）に示すように、必ずしもある一定の幅Ｄの間では推移しないことがわかる。これは、安定して日射量が得られないため、ある時点で計測された日射量と、その直前（あるいは直後）に計測された日射量との差が上記幅Ｄ以内とならないことを示している。図２Ｂの（ｂ）では、１日のうちの半分以上の時間帯で１秒毎の日射変化量２４が上記幅Ｄである±０．０１の間に収まっていないことがわかる。
【００２６】
図３Ａは、図２Ａに示した各グラフからサンプルとなるデータを取得する場合の説明図である。図３Ｂは、図２Ｂに示した各グラフからサンプルとなるデータを取得する場合の説明図である。
【００２７】
図３Ａに示した日射量の推移を示すグラフから、横軸に対して比較的長い間隔（図３Ａでは、１０分間隔）でデータを取得する場合、図３Ａの（ａ）に示すように、Ｘ１１〜Ｘ１５のデータを得ることができる。このときの日射量の変化として、図３Ａの（ｂ）に示すように、Ｙ１１〜Ｙ１４のデータを得ることができる。
【００２８】
同様に、図３Ｂに示した日射量の推移を示すグラフから、横軸に対して比較的長い間隔（図３Ｂでは、１０分間隔）でデータを取得する場合、図３Ｂの（ａ）に示すように、Ｘ２１〜Ｘ２５のデータを得ることができる。このときの日射量の変化として、図３Ｂの（ｂ）に示すように、Ｙ２１〜Ｙ２４のデータを得ることができる。
【００２９】
図３Ａの（ｂ）と図３Ｂの（ｂ）に示すそれぞれのグラフを比較すると、両者が似たグラフとなり、不安定な天候であるにもかかわらず、晴天等の安定した天候であると誤認識されたり、あるいは安定した天候であるにもかかわらず、晴天と曇天が繰り返す不安定な天候であると誤認識される可能性が生じてしまう。このように、サンプルとなるデータの取得間隔が長ければ長いほど上記のような誤認識を招く可能性が高くなってしまう。
【００３０】
図４は、図１に示した太陽電池アレイＡの電流−電圧特性の変化の一例を示す説明図である。一般に、太陽電池モジュール１１１の劣化の要因としては、太陽電池モジュール１１１の隣接するセル間を接続するインターコネクタ部のはんだ付けが、徐々に剥がれてくることが知られている。このような劣化は太陽電池アレイＡ全体で発生するため、太陽電池アレイＡを構成する太陽電池セル全般において直列抵抗が大きくなる。
【００３１】
図４の（ａ）に示すように、晴天等の安定した天候における電流−電圧特性は、グラフ４５に示すように、短絡電流値I４１となる曲線を描く。この場合、電流値Ｉ４２においてＭＰＰＴ制御による最大電力を得ることができる。一方、晴天と曇天が繰り返す不安定な天候における電流−電圧特性は、グラフ４６に示すように、電流値Ｉ４１よりも小さい短絡電流値I４３となる曲線を描く。この場合、電流値Ｉ４２よりも小さい電流値Ｉ４４においてＭＰＰＴ制御による最大電力を得ることができる。
【００３２】
通常、太陽光発電設備では、日射量を計測するために、光の広波長を拾うことができるシリカゲル製の日射計が用いられる。シリカゲルは、広波長に反応できる反面、反応速度が遅く、ISO9060規格において、応答速度が、Secondary - standardにて１５秒以下、First - classにて３０秒以下、Second - classにて６０秒以下になるように設定されている。図４の（ａ）に示したように、太陽電池アレイＡの電流−電圧特性の短絡電流の値は、日射量に比例する。図４の（ｂ）は、太陽電池の短絡電流の時間的な変化を示すグラフである。図４の（ｂ）に示すように、短絡電流の値は、日中にかけては日射量が多いため、その値が大きくなり、日中以降はその値が小さくなることがわかる。
【００３３】
太陽電池はシリコンで構成されることが一般的であるため、反応する波長の周波数帯は、シリカゲルに若干劣るものの比較的に反応速度が速い。そのため、測定された短絡電流の値は、ほぼその時点での日射量の大きさを表しているといえる。一方、日射計の実測値は、早いものでも１０〜２０秒かけて収束することがわかっている。図５は、太陽電池から得られた日射量の時間的な推移と、日射計から得られた日射量の時間的な推移とを比較したグラフである。図５に示すように、太陽電池から得られた日射量の時間的な推移を示すグラフ５Ａに比べ、日射計から得られた日射量の時間的な推移を示すグラフ５Ｂは、太陽電池から得られた日射量と同じ日射量を得る時点が遅れている（タイムラグがある）ことがわかる。このようなタイムラグが生じると、以下に示すように、日射計の計測値と想定日射量との間の相関関係にもずれが生じる。晴天等の安定した天候においては、上記のようなタイムラグが生じた場合であっても相関関係が保たれたサンプルデータが得られるが、晴天と曇天が繰り返す不安定な天候においては、日射量の変化も大きくなるため、相関関係からはずれるサンプルデータが出やすくなってしまう。本システムでは、この反応の違いを利用する。
【００３４】
具体的には、図４の（ａ）に示したように、電力が最大になる最大電力点の電流（動作電流）の電流値Ｉ４２、Ｉ４３は、日射の変化に応じて、ＭＰＰＴ制御される。動作電流と短絡電流の比をｒとし、太陽電池を制御するパワーコンディショナで計測される太陽電池モジュール１１１群の動作電流をＩｏｐａとし、太陽電池モジュール１１１群のストリング数をｍとし、太陽電池の短絡電流をＩｓｃとすると、想定日射量ｐは、式（１）で表すことができる。
【００３５】
ｐ  ＝  (Ｉｏｐａ/ m)  /  r  / Ｉｓｃ                    …      （１）
ｒについては、非特許文献  IEEE TRANSACTIONS ON SUSTAINABLE ENERGY, VOL. 6，NO. 4, OCTOBER 2015  「A New Sensorless Hybrid MPPT Algorithm Based on Fractional Short-Circuit Current Measurement and P&O MPPT」に記載に示されている。
【００３６】
図６は、本システムで行われる発電性能評価のためのサンプルデータの抽出処理の処理手順を示すフローチャートである。当該処理は、Ｗｅｂサーバ４３を介して、入出力装置群５から受信した指示したがってアプリケーションサーバ４２により実行され、処理結果を入出力装置群５に送信される。
【００３７】
図６に示すように、アプリケーションサーバ４２は、入出力装置群５において指定された所定の期間（例えば、１日２４時間）にデータサーバ４１に蓄積された日射計２１の計測値を読み出すとともに（ステップＳ６０１）、同じ期間でデータサーバ４１に蓄積されている動作電流Ｉｏｐの値を読み出す（ステップＳ６０２）。
【００３８】
さらに、アプリケーションサーバ４２は、読み出した動作電流Ｉｏｐから短絡電流Ｉｓｃを算出し（ステップＳ６０３）、想定日射量ｐを算出する（ステップＳ６０４）。想定日射量ｐは、上述した式（１）により算出することができる。
【００３９】
アプリケーションサーバ４２は、ステップＳ６０１で得られた日射計の計測値と、ステップＳ６０４で得られた想定日射量との間の相関を求める（ステップＳ６０５）。
【００４０】
図７は、晴天等の安定した天候における日射量の時間的な推移（ａ）と日射計の計測値と想定日射量との回帰直線（ｂ）を示すグラフである。また、図８は、晴天と曇天が繰り返す不安定な天候における日射量の時間的な推移（ａ）と日射計の計測値と想定日射量との回帰直線（ｂ）を示すグラフである。
【００４１】
図７の（ａ）では、図２Ａの（ａ）の場合と同様、晴天等の安定した天候における日射量の時間的な変化をあらわしており、この場合は晴天等の安定した天候であるため、日中にかけて徐々に日射量の値が大きくなっていることがわかる。図７の（ｂ）は、図７の（ａ）に示したように推移する日射量と、そのときの想定日射量との相関関係を回帰直線で表したグラフである。図７の（ｂ）では、ある時刻での日射計２１の計測値を横軸、その時刻において太陽電池から得られた動作電流や短絡電流を用いて上記式（１）で算出された想定日射量を縦軸にして点Ｐ１１をプロットし、回帰直線ｆを算出している。また、図２Ａの（ｂ）の場合と同様に、ほぼすべての点でばらつきが少なく、回帰直線ｆを中心とするある一定の幅Ｄの間に収まっている。したがって、晴天等の安定した天候の場合においては、想定日射量と日射計の測定値とは強い相関関係があることがわかる。このため、例えば、これらのすべての点を晴天であることの判断材料とする。
【００４２】
一方、図８の（ａ）では、図２Ｂの（ａ）の場合と同様に、晴天と曇天が繰り返す不安定な天候における日射量の時間的な変化をあらわしており、この場合は晴天と曇天が繰り返す不安定な天候であるため、日中にかけて日射量の値の増減が目立っていることがわかる。図８の（ｂ）は、図８の（ａ）に示したように推移する日射量と、そのときの想定日射量との相関関係を回帰直線で表したグラフである。図８の（ｂ）では、図７の（ｂ）の場合と同様に日射計２１の計測値を横軸、想定日射量を縦軸にして点Ｐ２１ａやＰ２２ａをプロットし、回帰直線ｆを算出している。また、図２Ｂの（ｂ）の場合と同様に、多くの点でばらつきがあり、回帰直線ｆを中心とするある一定の幅Ｄの間に収まっていない。例えば、点Ｐ２１ａは上記肌Ｄに収まっているが、点２２ａは上記幅Ｄに収まっていない。したがって、晴天と曇天が繰り返す不安定な天候の場合においては、晴天等の安定した天候の場合ほど、想定日射量と日射計の測定値とに相関関係がないことがわかる。このため、例えば、これらのすべての点のうち、高い相関関係にある上記幅Ｄに収まっている点のみを晴天であることの判断材料とする。上記幅Ｄは、例えば、上記回帰直線を構成する各点において、あらかじめ定められた所定の上限値（例えば、＋０．０１）と下限値（例えば、−０．０１）が設定される。図６に戻って説明を続ける。
【００４３】
アプリケーションサーバ４２は、ステップＳ６０５において想定日射量との間の相関を求めると、求めた相関が高いか否かを判定する（ステップＳ６０５）。相関が高い場合とは、例えば、図７の（ｂ）、図８の（ｂ）に示した幅Ｄの範囲内に点がプロットされているか否かを判定し、当該判定において、プロットした点が上記幅Ｄの範囲内に収まっていると判定した場合である。アプリケーションサーバ４２は、上記求めた相関が高いと判定した場合（ステップＳ６０５；Ｙｅｓ）、その点を、発電性能を評価する対象となるデータとして出力する（ステップＳ６０７）。一方、アプリケーションサーバ４２は、上記求めた相関が高くないと判定した場合（ステップＳ６０５；Ｙｅｓ）、その点を、発電性能を評価する対象となるデータとして出力せずに破棄する（ステップＳ６０８）。
【００４４】
本システムでは、上記のように想定日射量と日射計の測定値との相関関係の有無に応じて発電性能の評価対象とするデータを選別している。したがって、例えば、晴天等の安定した天候の場合には、相関関係がある多量の点を評価対象とすることで、従来に比べて一層精度よく発電性能を評価することができる。一方、例えば、晴天と曇天が繰り返す不安定な天候の場合には、相関関係がある少量の点を評価対象とすることで、サンプル数が少ない場合であっても、発電量が正確に計測できる晴天等の安定した天候の状態を見極めることができ、晴天等の安定した天候の場合と同様に精度よく発電性能を評価することができる。
【００４５】
発電性能の評価では、例えば、上記幅Ｄの範囲内にあるｎ個の点において、パワーコンディショナに内蔵されている計測器から得られる動作電流の精度（すなわち、パワーコンディショナの計測誤差）がｘ％であると仮定すると、アプリケーションサーバ４２は、パワーコンディショナの計測誤差を評価対象となったサンプルデータの数の平方根を割った値である式ｘ/√ｎ％を用いて、アレイシステム１の発電性能の評価の誤差を算出する。このため、晴天の判定、および、得られるデータから精度よく発電性能を評価することができ、太陽光発電の性能解析、故障診断に適用することができる。このように、本システムによれば、後付けで保守を行うサイトにおいて、既存のサンプリング点によらず、精度の高い監視機能を提供することが可能になる。
【００４６】
本発明は、上記実施例に限定されるものではなく、様々な変形例が含まれ、必ずしも説明した全ての構成を備えるものに限定されるものではない。また、ある実施例の構成の一部を他の実施例の構成に置き換えたり、各実施例の構成の一部について、他の構成の追加、削除、置換をすることが可能である。例えば、上記実施例では、監視システム４が複数のサーバで構成されている場合を示したが、これらが１つのサーバとして構成されていてもよく、入出力装置群５が監視システム４を構成するサーバに設けられていてもよい。また、上記実施例では、接続箱１２を並列に接続し、接続箱１２から出力される電流をキュービクル２に入力したが、接続箱１２ごとにキュービクル２を設け、接続箱１２を１つの単位として電流を収集することとしてもよい。この場合、接続箱１２を有するアレイシステム１ごとに電流が収集されるため、アレイシステム１ごとに精度よく発電性能を評価することができる。
【符号の説明】
【００４７】
１０００              発電性能評価システム
１                    アレイシステム
１１                  太陽電池ストリング
１１１                太陽電池モジュール
１２                  接続箱
１２１                逆流防止ダイオード
１２２                スイッチ
２                    キュービクル
２１                  日射計
２２                  信号変換伝送装置
２３                  サンプリング処理部
２４                  制御波形生成部
２５                  直流・交流変換部
２６                  電流計
２７                  電圧計
２８                  制御部
３                    外部通信装置群
３１                  ＨＵＢ
３２                  ＰＬＣ
３３                  ＯＤリング
３４                  伝送装置
４                    監視システム
４１                  データサーバ
４２                  アプリケーションサーバ
４３                  Ｗｅｂサーバ
４４                  中継機器
４５                  物理スイッチ
４６                  ファイアウォール
５                    入出力装置群
５１                  ＰＣ装置
５２                  携帯装置
Ｎ１、Ｎ２      ネットワーク。
【図１】
2019054699.tif 000003
【図２Ａ】
2019054699.tif 000004
【図２Ｂ】
2019054699.tif 000005
【図３Ａ】
2019054699.tif 000006
【図３Ｂ】
2019054699.tif 000007
【図４】
2019054699.tif 000008
【図５】
2019054699.tif 000009
【図６】
2019054699.tif 000010
【図７】
2019054699.tif 000011
【図８】
2019054699.tif 000012